(57)【要約】【課題】ディスク種別を判別する処理時間を短縮する。【解決手段】フラッシュＲＯＭ１１８に記憶されている、過去に判別された複数の光ディスクの種別データが電源ＯＮ時にＲＡＭに転送され、マイクロコンピュータ１１３はＲＡＭに転送された複数の光ディスクの種別に基づいて使用頻度が最も高い種別から判別を開始し、種別を判別した場合に判別結果によりＲＡＭのデータを更新する。また、マイクロコンピュータは電源ＯＦＦ時にＲＡＭのデータをフラッシュＲＯＭに転送した後に電源をＯＦＦする。【選択図】図５
2007273010.tif 000002
【特許請求の範囲】
【請求項１】
装着された光ディスクの種別を判別するディスク種別判別手段を備え、前記ディスク種別判別手段により判別された種別に対応する処理を開始する光ディスク駆動装置において、
前記ディスク種別判別手段は、
過去に判別された複数の光ディスクの種別を記憶する記憶手段と、
光ディスクが装着された場合に、前記記憶手段に記憶されている複数の光ディスクの種別に基づいて使用頻度が最も高い種別から判別を開始し、種別を判別した場合に判別結果により前記記憶手段の記憶内容を更新する手段とを、
備えたことを特徴とする光ディスク駆動装置。
【請求項２】
前記記憶手段はさらに、過去に判別された複数の光ディスクグループの種別を記憶し、
前記ディスク種別判別手段は、前記記憶手段に記憶されている複数の光ディスクグループの種別に基づいて使用頻度が最も高いグループ種別から判別を開始し、グループ種別を判別した場合に判別結果により前記記憶手段の記憶内容を更新することを特徴とする請求項１に記載の光ディスク駆動装置。
【発明の詳細な説明】
【技術分野】
【０００１】
本発明は、複数種類の光ディスクの再生及び／又は記録が可能な光ディスク駆動装置に関する。
【背景技術】
【０００２】
近年、ＣＤ、ＣＤＲ、ＣＤＲＷ、ＤＶＤ、ＤＶＤＲ、ＤＶＤＲＷ、ＤＶＤＲＡＭ、ＢＤなど光ディスクの種類が非常に増加している。また、これに対応して光ディスク駆動装置（ドライブ）も多くの種類をサポートして、これらのディスクに対して同一のドライブで記録再生を実現している。複数種類の光ディスクに対応するドライブでは、光ディスクが装着されたときに最初にディスク種別を判別する処理が不可欠であり、フォーカスエラー波形や、反射率や、ウォブル周波数（例えば下記の特許文献１）などを手掛かりに判別処理を行っている。
【特許文献１】特開２００４-３４２１５８号公報（要約書）
【発明の開示】
【発明が解決しようとする課題】
【０００３】
しかしながら、ディスク種別を判別する処理時間が長いと、ディスクを装着してから、記録再生を開始するまでの時間がかかり、ユーザに不快感を与える要因になるという問題点がある。特に、対応する種類が多くなるとこの問題点が顕著となる。さらに、対物レンズ＋駆動系を複数個搭載したピックアップでは、この移動時間が加算されるため大きな問題となる。
【０００４】
本発明は上記従来例の問題点に鑑み、ディスク種別を判別する処理時間を短縮することができる光ディスク駆動装置を提供することを目的とする。
【課題を解決するための手段】
【０００５】
本発明は上記目的を達成するために、装着された光ディスクの種別を判別するディスク種別判別手段を備え、前記ディスク種別判別手段により判別された種別に対応する処理を開始する光ディスク駆動装置において、
前記ディスク種別判別手段は、
過去に判別された複数の光ディスクの種別を記憶する記憶手段と、
光ディスクが装着された場合に、前記記憶手段に記憶されている複数の光ディスクの種別に基づいて使用頻度が最も高い種別から判別を開始し、種別を判別した場合に判別結果により前記記憶手段の記憶内容を更新する手段とを、
備えたことを特徴とする。
また、前記記憶手段はさらに、過去に判別された複数の光ディスクグループの種別を記憶し、
前記ディスク種別判別手段は、前記記憶手段に記憶されている複数の光ディスクグループの種別に基づいて使用頻度が最も高いグループ種別から判別を開始し、グループ種別を判別した場合に判別結果により前記記憶手段の記憶内容を更新することを特徴とする。
【０００６】
本発明によれば、ユーザがよく使用するディスク種別から順次、判別を実行するため、初期に判定できる可能性が高く、全体の判定時間を短縮可能であり、ユーザが不快感を持たないという効果がある。
また、本発明によれば、ユーザがよく使用するディスクグループ種別から順次、判別を実行するため、グループ種別ごとに各アクチュエータごとに設けられていて各アクチュエータを移動して用いる機器の判定時間を短縮することができる。
【発明を実施するための最良の形態】
【０００７】
以下、図面を参照して本発明の実施の形態について説明する。図１は本発明に係る光ディスク駆動装置の一実施の形態を示すブロック図、図２は図１のピックアップと周辺の構成の概要を示す斜視図、図３は図１のフラッシュＲＯＭに記憶されているテーブルデータを示す説明図、図４は電源ＯＮ（オン）時の処理を説明するためのフローチャート、図５はディスク種別判別処理を説明するためのフローチャート、図６は電源ＯＦＦ（オフ）時の処理を説明するためのフローチャートである。
【０００８】
図１は本発明に係る光ディスク駆動装置の一実施の形態（ドライブ装置１００）を示すブロック図である。図１において、光ディスクであるディスク１０１はスピンドルモータ１０２のシャフト１０３に固着されたフランジ１０４に着脱可能な状態で保持されている。スピンドルモータ１０２の回転数ＦＧをマイクロコンピュータ１１３に取り込み、駆動回路１１５により光ビームのスポット位置で所定の線速度となるようにスピンドルモータ１０２を制御している。ピックアップ１０５は対物レンズ１０５ａ、ハーフミラー１０５ｂ、レーザダイオード（ＬＤ）１０６及び複数のフォトダイオード（ＰＤ）により構成される受光部１０７などを搭載してトラッキング方向とフォーカス方向に変異できる可動部  （不図示）と、トラッキングコイル１０８及びフォーカシングコイル１０９などを搭載した固定部（不図示）より構成されている。また、ピックアップ１０５全体はディスク１０１の半径方向に移動可能なように構成されている。これは、ピックアップ１０５に取り付けられた雌ネジ部２０４（図２）と嵌合するリードスクリュー１１１に取り付けられたスレッドモータ１１０を駆動回路１１２を介してマイクロコンピュータ（マイコン）１１３が制御することにより実現している。
【０００９】
レーザダイオード１０６から放射されたレーザ光は、ハーフミラー１０５ｂ、対物レンズ１０５ａを介してディスク１０１に照射されて記録信号や案内溝に変調されて反射され、この光がハーフミラー１０５ｂを介して受光部１０７に入射される。ビームは詳細に図示しない回折格子などの光学系により３ビームの構成となっている。アナログ信号処理回路１１４はピックアップ１０５で光電変換された信号よりトラッキングエラー信号ＴＥ、フォーカスエラー信号ＦＥ、総和信号ＰＥなどを検出して出力する。
【００１０】
トラッキングエラー信号ＴＥはアナログデジタル変換器ＡＤ１でアナログデジタル変換されて、マイコン１１３に取り込まれる。同様にフォーカスエラー信号ＦＥはアナログデジタル変換器ＡＤ２でアナログデジタル変換されて、マイコン１１３に取り込まれる。また、総和信号ＰＥはアナログデジタル変換器ＡＤ３を介してマイコン１１３に取り込まれる。マイクロコンピュータ１１３には、リードオンリメモリＲＯＭが接続されており、リードオンリメモリＲＯＭにはプログラムや固定データが記憶されている。また、揮発性のランダムアクセスメモリＲＡＭも接続されており、ランダムアクセスメモリＲＡＭには変数値などを記憶する。さらにマイコン１１３には不揮発性のフラッシュＲＯＭ１１８が接続されている。さらにマイコン１１３にはデジタルアナログ変換器ＤＡ１が接続されており、トラッキング制御駆動信号を演算したデータをデジタルアナログ変換器ＤＡ１に出力し、この値で駆動回路ＤＲＶ１を介してトラッキングコイル１０８を駆動する。同様にマイコン１１３にはデジタルアナログ変換器ＤＡ２が接続されており、フォーカス制御駆動信号を演算したデータをデジタルアナログ変換器ＤＡ２に出力し、この値で駆動回路ＤＲＶ２を介してフォーカシングコイル１０９を駆動する。
【００１１】
図２はピックアップ１０５と周辺の構成の概要を示す。ピックアップベース２０１には、ＤＶＤ用レンズアクチュエータ２０２とＢＤ用レンズアクチュエータ２０３が搭載され、２個のレンズアクチュエータ２０２、２０３は一体的に、矢印の方向に図１に示す駆動回路１１６とステップモータ１１７により移動して切り替えて使用することができる。これにより、オフセンターをなくしている。また、ピックアップベース２０１には、リードスクリュー１１１と螺合する雌ネジ部２０４と、シャフト２０７と嵌合するスリーブ２０６が設けられ、図１に示す駆動回路１１２とスレッドモータ１１０により駆動される。この構成では、ディスク判別を行うときに、レンズアクチュエータ２０２、２０３の移送が必要になるので、より短時間でディスク判別を完了する必要がある。ここで、図１ではピックアップ１０５は１系統（ＢＤ）のみを示しており、実際にはＤＶＤ系を含めて同様の２系統となり、点線で囲むブロックが２系統となる。別の規格のディスクが挿入された場合には、これを判別して、これに対応したピックアップ１０５を使用し、また、これに合わせて電気系も切り替える。本実施の形態では、２個のレンズアクチュエータ２０２、２０３を切り替える場合について説明しているが、２波長レーザを用いた１個のレンズアクチュエータの構成（ＣＤ、ＤＶＤなど）でも、早期にディスク判別完了できるので全体として時間短縮を実現することが可能である。
【００１２】
本発明は、過去に判別された複数の光ディスクの種別に基づいて使用頻度が最も高い種別から判別を開始して、全体としてディスク判別にかかる時間を短縮するものである。図３はフラッシュＲＯＭ１１８に記憶されている、ディスク種別に関するテーブルデータの概要を示す。アドレス０からアドレス３２までの３３個のデータを保持している。このテーブルは、アドレス１からアドレス３２までは、過去に使用されたディスク種類がコード化されてリング状に順次記憶されている。アドレス０には、最も前に使用されたディスク種別が記憶されているアドレスが記憶されている。図３では、アドレス０にはアドレス５が記憶され、アドレス５に記憶されている「ＤＶＤ−ＲＯＭ」が最も前に使用されたディスク種別であることを示している。以下、アドレス５→６→７〜３２→１→２〜４の順で新しくなり、アドレス４に記憶されている「ＢＤ」が最も新しく使用されたディスク種別であることを示している。
【００１３】
フローチャートにより動作を説明する。図４に電源投入（ＯＮ）時の動作のフローチャートを示す。電源がＯＮとなると、フラッシュＲＯＭ１１８よりテーブルデータを読み出し、ランダムアクセスメモリＲＡＭにコピーする（ステップＳ５０１）。以後はＲＡＭ上でデータをハンドリングする。図５は、ディスク種別判別処理を説明するための実際の動作を示すフローチャートである。ディスク１０１が装着されると、まず、ステップＳ４０１でＲＡＭにコピーしたテーブルデータを基に、頻度順を計算する。次に、この頻度の最も高いディスク種別からディスク判別を行う（ステップＳ４０２）。ディスク判別は、従来より提案されているフォーカスエラーのゼロクロスを計数したり、反射率を計測する方法などを組み合わせればよい。
【００１４】
次にステップＳ４０３で判別できたか否かを判定する。判定できなかった場合には、ステップＳ４０５に進み、全部の種類の判定を完了したか否かを調べる。最後の種類でない場合には、ステップＳ４０６に進む。ここは、次に頻度の高かったディスク種類を設定して、ステップＳ４０２に戻り、再度判定を行う。図２の例では、レンズアクチュエータ２０２、２０３の移動を含む場合もある。最後の種類の判定を完了して、判定できなかった場合には、使用できないディスクなので、これを結果として判別を完了する。判別できた場合には、ステップＳ４０３からステップＳ４０４に進み、テーブルデータを更新する。この更新処理において、図３に示す例では、アドレス０に記憶されているアドレス５をアドレス６に書き替えるとともに、アドレス５に記憶されている「ＤＶＤ−ＲＯＭ」を「今回判定した種別」に書き替える。これにより、アドレス６に記憶されている「ＢＤ」が最も前に使用されたディスク種別であることを示し、また、アドレス５に記憶された「今回判定した種別」が最も新しく使用されたディスク種別であることを示す。この判定結果をもって判定処理を完了する。
【００１５】
図６は、電源を切断しよう（ＯＦＦ）とした場合の動作のフローチャートである。ディスク１０１を交換するたびに更新されたＲＡＭ上のテーブルデータをステップＳ６０１でフラッシュＲＯＭ１１８に書き込む。これにより、電源ＯＦＦ後もテーブルデータを保持することが可能である。次にステップＳ６０２で電源を切断する。
【００１６】
ここで、図２に示すようにＤＶＤ用レンズアクチュエータ２０２とＢＤ用レンズアクチュエータ２０３が搭載されていてＤＶＤ又はＢＤのグループ種別に応じてアクチュエータ２０２、２０３を移動する構成では、単にディスク種別のみの頻度の最も高いディスク種別からディスク判別を行い、例えばＤＶＤ−ＲＷ→ＢＤ−ＲＯＭ→ＤＶＤ−ＲＯＭのようにグループ種別に関係なく判別を行うと、ディスク種別ごとにアクチュエータ２０２、２０３を移動させなければならないので、判別時間が長くなる。そこで、頻度の最も高いディスクグループ種別（ＤＶＤ又はＢＤ）から判別を行うことにより、例えばＢＤの頻度が高ければＢＤ−ＲＥ→ＢＤ−ＲＯＭ→ＢＤ−Ｒの順で判別を行うので、ディスク種別ごとにアクチュエータ２０２、２０３を移動させる必要がなくなり、判別時間を短縮することができる。
【産業上の利用可能性】
【００１７】
本発明は、ＤＶＤプレーヤ・レコーダやＢＤプレーヤ・レコーダなど各種の光ディスク記録再生装置に適用できる。
【図面の簡単な説明】
【００１８】
【図１】本発明に係る光ディスク駆動装置の一実施の形態を示すブロック図である。
【図２】図１のピックアップと周辺の構成の概要を示す斜視図である。
【図３】図１のフラッシュＲＯＭに記憶されているテーブルデータを示す説明図である。
【図４】電源ＯＮ時の処理を説明するためのフローチャートである。
【図５】ディスク種別判別処理を説明するためのフローチャートである。
【図６】電源ＯＦＦ時の処理を説明するためのフローチャートである。
【符号の説明】
【００１９】
１００  ドライブ装置
１０１  ディスク
１０２  スピンドルモータ
１０３、２０７  シャフト
１０４  フランジ
１０５  ピックアップ
１０５ａ  対物レンズ
１０５ｂ  ハーフミラー
１０６  レーザダイオード（ＬＤ）
１０７  受光部
１０８  トラッキングコイル
１０９  フォーカシングコイル
１１０  スレッドモータ
１１１  リードスクリュー
１１２、１１５、１１６、ＤＲＶ１、ＤＲＶ２  駆動回路
１１３  マイクロコンピュータ（マイコン）
１１４  アナログ信号処理回路
１１７  ステップモータ
１１８  フラッシュＲＯＭ
２０１  ピックアップベース
２０２  ＤＶＤ用レンズアクチュエータ
２０３  ＢＤ用レンズアクチュエータ
２０４  雌ネジ部
２０６  スリーブ
ＡＤ１、ＡＤ２、ＡＤ３  アナログデジタル変換器
ＤＡ１、ＤＡ２  デジタルアナログ変換器  
ＲＡＭ  ランダムアクセスメモリ
ＲＯＭ  リードオンリメモリ
【図１】
2007273010.tif 000003
【図２】
2007273010.tif 000004
【図３】
2007273010.tif 000005
【図４】
2007273010.tif 000006
【図５】
2007273010.tif 000007
【図６】
2007273010.tif 000008